(57)【要約】  【課題】  締付ボルトが緩むことがなく、簡便で耐久性に優れた廉価な鉄骨フランジ挟持用クランプ金物を提供する。  【解決手段】  基部片１ａの両側に支持部片１ｂと挟持部片１ｃを相対設した略コ字状の本体枠１と、該本体枠１の前記支持部片１ｂに螺合して支持され、しかも、前記挟持部片１ｃとで鉄骨フランジｂを挟持する締付けボルト２とで構成する。そして、前記本体枠１を鉄板をプレス成形した中空体で構成し、該本体枠１の前記挟持部片１ｃの、前記フランジｂとの対向面に、該対向面の先端から基部片側１ａの前記基端に至るに従って前記フランジｂから次第に離れる傾斜状の、フランジとの接触縁を設ける。【選択図】    図１
2010121757.tif 000002
【特許請求の範囲】
【請求項１】
基部片の両側に支持部片と挟持部片を相対設した略コ字状の本体枠と、該本体枠の前記支持部片に螺合して支持され、しかも、前記挟持部片とで鉄骨フランジを挟持する締付けボルトとで成るクランプ金物において、前記本体枠を鉄板をプレス成形した中空体で構成し、該本体枠の前記挟持部片の、前記フランジとの対向面に、該対向面の先端から基部片側の前記基端に至るに従って前記フランジから次第に離れる傾斜状の、フランジとの接触縁を設けた、鉄骨フランジ挟持用クランプ金物。
【発明の詳細な説明】
【技術分野】
【０００１】
本発明は、本体枠の基部片に安全ネットの吊り下げ用のフックやパイプクランプなどを取り付け（熔接し）、該フックなどを活用するために鉄骨フランジに、該フランジを挟持させて装着して用いる、鉄骨フランジ挟持用クランプ金物に関するものである。
【背景技術】
【０００２】
基部片の両側に支持部片と挟持部片を相対設した略コ字状の本体枠と、該本体枠の前記支持部片に螺含して支持させ、しかも、前記挟持部片とで鉄骨フランジを挟持する締付けボルトとで構成したクランプ金物は具体例を挙げるまでもなく、一般的に知られている。
【０００３】
そして、このクランプ金物が使用される建築現場においては、工事に伴う様々な振動が発生することから、鉄骨に直接触れる前記締付けボルトにその振動が伝搬し、その結果生じた緩みを取付け時の状態に戻すため、定期的にボルトの増し締めをしなければならないという問題点を抱えている。
【０００４】
この問題を解決するため、ボルト先端部にバネ座金を取付ける方式や（特許文献１）、挟持する鉄骨フランジと金物の間に板バネを挿入する方式（特許文献２）等が提案されている。
【発明の開示】
【発明が解決しようとする課題】
【０００５】
しかしながら、前記いずれの方式のものも、本体枠や締付けボルトとは別の２次部材を取付けて用いることから、繰り返し使用した際の機能低下や、破損しやすいという問題点が指摘されている。また、当然のことながら、加工に手間を要することから製造コストの増大要因ともなっている。
【０００６】
本発明は、上記問題を解決する為に、コの字状の本体枠にあらかじめ所定の角度を有したフランジとの接触縁を設け、ボルト締付け時の軸力により該接触縁の存在によって金物全体を撓ませ、そのバネ効果で締付けボルトの緩みを防止する、簡便で耐久性に優れた廉価な鉄骨フランジ挟持用クランプ金物を提供することを目的として創案したものである。
【０００７】
【特許文献１】特開平０６−２００９１０号公報
【特許文献２】実公平０６−２０８３７号公報
【課題を解決するための手段】
【０００８】
基部片の両側に支持部片と挟持部片を相対設した略コ字状の本体枠と、該本体枠の前記支持部片に螺合して支持され、しかも、前記挟持部片とで鉄骨のフランジを挟持する締付けボルトとで成り、前記本体枠を鉄板をプレス成形した中空体で構成し、該本体枠の前記挟持部片の、前記フランジの対向面に、先端から前記基部片側の基端に至るに従って前記フランジから離れる方向に傾斜する接触縁を設けた構成としたものである。
【発明の効果】
【０００９】
本発明によれば、金物全体の撓みによるバネ効果を得ることができ、２次的な部材を用いることなく、ボルトの緩みを抑制することができることから、簡便な構成で耐久性に優れた、ローコストな鉄骨フランジ挟持用クランプを提供することが可能となる。
【実施例】
【００１０】
図面は本発明に係る鉄骨フランジ挟持用のクランプ金物の一実施例を示し、図１は鉄骨フランジと組合わせた状態の一部欠載正面図、図２は図１の平面図、図３は図１のａ‐ａ線断面図、図４は鉄骨フランジに装着した状態の一部欠載正面図である。
【００１１】
本発明に係る鉄骨フランジ挟持用クランプ金物Ａは、基部片1ａの両側に支持部片１ｂと挟持部片１ｃを相対設して成る略コ字状の本体枠１と、該本体枠１の前記支持部片１ｂに螺合して支持され、しかも、前記挟持部片１ｃとで鉄骨フランジｂを挟持する締付けボルト２とで構成し、基部片１ａの外側面には、ネットの吊下げ用のフックやパイプクランプなどを取付け、該フックなどの装着材として用いるものである。
【００１２】
前記本体枠１は、所要の対称形に型抜きした鉄（鋼）板を、中央部を残して折り曲げて中央部以外の部分を二重に重ね合せるようにして形成した略コ字状の中空体１Ａと、該中空体１Ａの一方の側部片（支持部片１ｂを構成する）の自由端部に嵌着したナット１Ｂとで構成し、前記支持部片１ｂの自由端部に前記ナット材１Ｂで構成するねじ孔３を備えると共に、このねじ孔３に支持部片１ｂの外側から螺合して内側に突出する前記締付けボルト２が近接・離開する前記挟持部片１ｃの前記鉄骨フランジｂとの対向面に、該対向面の先端から前記基部片１ａ側の基端に至るに従って水平な前記鉄骨フランジｂから次第に離れるように傾斜する接触縁４を設けて成るものである。
【００１３】
接触縁４を構成する、本体枠１の前記挟持部片１ｃの自由端部の先端部１ｃ´は、図３に示したように、素材である前記鉄板の一部を端面視略コ字形に弯曲した半方形筒体で成り、該筒体の内側開口面を前記対向面と成し、該対向面を形作る、半方形筒体の略コ字形の端縁を前記接触縁４と成し、接触縁４は略コ字形の縁状となって鉄骨フランジｂに圧接するので、鉄骨フランジｂに沿う移動が尚一層確実に規制される。
【００１４】
そして、鉄骨フランジｂを締付けボルト２と挟持部片１ｃとの間に介在させるようにしてクランプ金具Ａを鉄骨フランジｂに組合わせ、鉄骨フランジｂに対して垂直方向に締付けボルト２を締付けると、当初は図中に示したように、締付けボルト２と挟持部片１ｃの傾斜状の接触縁４の先端（頂点乃至、高所）で鉄骨フランジｂで挟持することになり、更に、締付け操作を継続すると、すなわち、図４に示したように、軸力の負荷を継続させると、当初は先端側のみが鉄骨フランジｂに圧接していた状態からクランプ金具Ａ全体が撓んで接触縁４がその傾斜角に沿って鉄骨フランジｂに接触し、バネ機能が生じて、該機能が締付けボルト２に作用して締付けボルト２に鉄骨フランジｂ方向への挟持力となって現われ、振動により締付けボルト２の緩みが極めて発生しにくくなるのである。
【００１５】
なお、接触縁４の傾斜角は、少なくも０°より大きい傾斜角であれば良いが、本体枠１の素材や各部の寸法などとの関係を考慮する必要があり、例えば、板厚３．２ｍｍの鋼板を用いて作成した２°前後の傾斜角にしたサンプルを振動試験で確認した処、実用に充分耐え得るものであった。
【図面の簡単な説明】
【００１６】
【図１】鉄骨フランジと組合わせた状態の一部欠載正面図。
【図２】図１の平面図。
【図３】図１のａ−ａ線断面図。
【図４】鉄骨フランジに装着した状態の一部欠載正面図。
【符号の説明】
【００１７】
１      本体枠
１ａ    基部片
１ｂ    支持部片
１ｃ    挟持部片
２      締付ボルト
ｂ      鉄骨フランジ
【図１】
2010121757.tif 000003
【図２】
2010121757.tif 000004
【図３】
2010121757.tif 000005
【図４】
2010121757.tif 000006